(57)【特許請求の範囲】
【請求項１】
外周面にブラシ毛が植設されるとともに円筒状に形成され、前記外周面に開口して円筒内部と連通する開口部を有し、かつ回転するブラシ本体と、
前記ブラシ本体の円筒内部から前記開口部を介してエアを給気し、前記ブラシ毛から付着物を離脱させる給気部を有する給気装置と、
前記ブラシ本体が収容された収容空間を、吸引路を介して吸引する吸引装置と、を有するブラシ装置であって、
前記給気部は、その先端がエア給気の損失を抑制するように前記ブラシ本体の内周面に近接して設けられるとともに、前記ブラシ毛が毛を梳く位置から外れた前記吸引路に向けてエアを給気し、該吸引路へ該ブラシ毛の付着物を離脱させるように配置された吹出口を有することを特徴とするブラシ装置。
【請求項２】
請求項１記載のブラシ装置において、
前記ブラシ本体を回転駆動する回転駆動装置と、
前記回転駆動装置が収容される第２収容空間から前記収容空間に向けてエアを給気する第２給気装置とを有することを特徴とするブラシ装置。
【請求項３】
請求項２記載のブラシ装置において、
前記第２給気装置は、前記吸引装置により排気されたエアの一部を前記収容空間に向けて給気することを特徴とするブラシ装置。
【請求項４】
請求項１から３のいずれかに記載のブラシ装置において、
前記給気装置は、前記吸引装置により排気されたエアの一部を給気することを特徴とするブラシ装置。
【請求項５】
請求項２から４のいずれかに記載のブラシ装置において、
前記回転駆動装置の作動可能状態・作動停止を切り換える主スイッチと、
前記主スイッチが前記作動可能状態で、且つ押下されたときに前記回転駆動装置を作動させる従スイッチとを備えることを特徴とするブラシ装置。
【請求項６】
請求項５記載のブラシ装置において、
前記従スイッチは、把手部の側面に設けられていることを特徴とするブラシ装置。
【請求項７】
請求項１から６のいずれかに記載のブラシ装置において、
前記ブラシ本体の中心軸の内部には、前記給気部と接続されるエア給気路を有することを特徴とするブラシ装置。
【請求項８】
請求項１から７のいずれかに記載のブラシ装置において、
前記ブラシ本体が交換自在に設けられることを特徴とするブラシ装置。
【発明の詳細な説明】
【技術分野】
【０００１】
本発明は、ブラシ装置に関し、例えば犬、猫等のペットに対して用いて好適なブラシ装置に関するものである。
【背景技術】
【０００２】
犬、猫等のペットは、季節により毛が生え替わるため、室内等に飛散して不潔になることを防止するために頻繁なブラッシングが必要である。
従来、この種のブラッシングに用いられるブラシ装置としては、ブラシ毛を植毛した基部に把手を取り付けた毛梳きブラシが存在するが、これらのブラシでは、ブラッシング時に効率よく抜け毛を掻き取ることや、絡み取ることを考慮して、ブラシ毛の形状、密度、材質や基部の材質、形状等が工夫されている。
【０００３】
上記のブラシ装置では、掻き取った、もしくは絡み取った抜け毛が飛散して不衛生であり、掃除にも手間がかかることから、特許文献１に記載されているように、掃除機に接続して使用する吸引タイプのブラシが多く提供されており、吸引圧のバランス、吸引口の形状、ブラシ毛と吸引口との配置等に工夫を凝らしている。また、吸引タイプのブラシ装置としては、特許文献２に記載されたブラシのように、ブラシを回転させる機構を有するものも開示されている。
【０００４】
ところが、これらのブラシ装置では、ブラシ毛に絡んだ抜け毛の始末に手間がかかるという問題がある。そこで、特許文献３には、ブラッシング後に手動でブラシを回転させ、ブラシ毛をスリットで扱くことにより、ブラシ毛に絡んだ抜け毛を取り除く構成が開示されている。また、特許文献４には、ブラシを回転させつつ、ブラシ毛の先端を固定の突起に当て、ブラシ毛に絡んだ抜け毛をはじき、接続した掃除機で吸引する構成が開示されている。
【特許文献１】特開２００１−１９０１７４号公報
【特許文献２】実用新案登録第３００９４５１号公報
【特許文献３】特開平１１−２８９８９９号公報
【特許文献４】特開平９−２７１２８５号公報
【発明の開示】
【発明が解決しようとする課題】
【０００５】
しかしながら、上述したような従来技術には、以下のような問題が存在する。
特許文献３に記載された技術では、細い抜け毛やブラシ毛の根元に絡んだ抜け毛は取り除きにくいという問題が生じるとともに、抜け毛がスリットに再度絡む可能性があるため、メンテナンスを要するという問題がある。また、スリットとブラシ毛とが接触することから耐久性にも問題が残る。同様に、特許文献４に記載された構成でも、耐久性の問題、及び細い抜け毛やブラス毛の根元に絡んだ抜け毛は取り除きにくいという問題があるとともに、ブラシ毛から脱落した抜け毛が吸引エアの流れにより再度別のブラシ毛に絡みやすいという問題が生じ、やはりメンテナンスが必要になる。加えて、特許文献４の構成では、抜け毛の吸引流路に回転用のシャフトが晒されているため、抜け毛が絡みやすくなり、メンテナンスに一層手間がかかるという問題もある。
【０００６】
本発明は、以上のような点を考慮してなされたもので、メンテナンスに手間がかからず、また耐久性を有するブラシ装置を提供することを目的とする。
【課題を解決するための手段】
【０００７】
上記の目的を達成するために本発明は、以下の構成を採用している。
本発明のブラシ装置は、外周面にブラシ毛が植設されるとともに円筒状に形成され、前記外周面に開口して円筒内部と連通する開口部を有し、かつ回転するブラシ本体と、前記ブラシ本体の円筒内部から前記開口部を介してエアを給気し、前記ブラシ毛から付着物を離脱させる給気部を有する給気装置と、前記ブラシ本体が収容された収容空間を、吸引路を介して吸引する吸引装置と、を有し、前記給気部は、その先端がエア給気の損失を抑制するように前記ブラシ本体の内周面に近接して設けられるとともに、前記ブラシ毛が毛を梳く位置から外れた前記吸引路に向けてエアを給気し、該吸引路へ該ブラシ毛の付着物を離脱させるように配置された吹出口を有することを特徴とするものである。
従って、本発明のブラシ装置では、ブラシ毛の根元に絡んだ抜け毛等の付着物を給気装置が給気したエアにより吹き飛ばしてブラシ毛から脱落（離脱）させて取り除くことが可能になる。
また、本発明では、エアによる非接触方式で抜け毛を取り除くため、ブラシ毛の損傷等を防止して、耐久性を向上させることができる。
【０００８】
また、本発明では、前記ブラシ本体が収容された収容空間を吸引する吸引装置を有する構成を好適に採用できる。
これにより、本発明では、吹き飛ばした抜け毛を飛散させることなく捕捉・回収することが可能になり、抜け毛が飛散して不衛生になることを防止できるとともに、手間がかかる掃除をする必要もなくなる。
【０００９】
また、本発明では、上記の構成に加えて、前記ブラシ本体を回転駆動する回転駆動装置と、前記回転駆動装置が収容される第２収容空間から前記収容空間に向けてエアを給気する第２給気装置とを有する構成も好適に採用できる。
これにより、本発明では、収容空間から抜け毛が飛来して、第２収容空間に収容された回転駆動装置に絡まり、ブラシ本体の回転駆動に不具合が生じることを防止できる。
【００１０】
この場合、前記第２給気装置が、前記吸引装置により排気されたエアの一部を前記収容空間に向けて給気する構成を好適に採用できる。
これにより、本発明では、第２給気装置のためにエア供給源を別途設ける必要がなくなるため、装置の小型化及び低価格化に寄与できる。
【００１１】
また、本発明では、前記給気装置が前記吸引装置により排気されたエアの一部を前記ブラシ毛の近傍に給気する構成も好適に採用できる。
これにより、本発明では、給気装置のためにエア供給源を別途設ける必要がなくなるため、装置の小型化及び低価格化に寄与できる。
【００１２】
さらに、本発明では、前記回転駆動装置の作動可能状態・作動停止を切り換える主スイッチと、前記主スイッチが前記作動可能状態で、且つ押下されたときに前記回転駆動装置を作動させる従スイッチとを備える構成を好適に採用できる。
これにより、本発明では、従スイッチを押下した場合にブラシ本体を回転させることができ、従スイッチの押下を解除することによりブラシ本体の回転を停止させることが可能となる。そのため、ペットの状態に応じて、ブラシ本体の回転及び回転停止を容易に制御することが可能になる。
【００１３】
この場合、前記従スイッチとしては、把手部の側面に設けられている構成を好適に採用できる。
従って、本発明では、把手部を把手（把持）した際に、例えば親指の近傍に従スイッチが位置することになり、ペットに対する毛梳き作業中であっても、容易、且つ迅速にブラシ本体の回転及び回転停止を制御することが可能になる。
【００１４】
また、本発明は、前記ブラシ本体が円筒状に形成されて、且つ前記外周面に開口して円筒内部と連通する開口部を有し、前記給気装置は、前記円筒内部から前記開口部を介して前記エアを給気する給気部を有する構成を好適に採用できる。
これにより、本発明では、ブラシ毛の根元近傍から毛先へ向けてエアが給気されるため、ブラシ毛の根元に絡む抜け毛も容易に脱落させることが可能となる。
【００１５】
この場合、前記ブラシ本体が、中心軸周りに回転自在とされ、前記中心軸の内部に前記給気部と接続されるエア給気路が形成される構成を好適に採用できる。
これにより、本発明では、給気部へエアを導入するためのエア給気路を別途設ける必要がなくなるため、装置の小型化及び低価格化に寄与できる。
【００１６】
また、本発明では、前記ブラシ本体が交換自在に設けられる構成も好適に採用できる。
従って、本発明では、ペットの種類、毛質、毛の長さ、硬さ等に応じて最適なブラシ本体を選択して使用することが可能になる。
【発明の効果】
【００１７】
本発明では、メンテナンスに手間がかかることを防止しつつ、ブラシ毛の耐久性に問題が生じることもなく、長寿命化を図ることが可能になる。
【発明を実施するための最良の形態】
【００１８】
以下、本発明のブラシ装置の実施の形態を、図１ないし図１１を参照して説明する。
なお、以下の説明に用いる各図面では、各部材を認識可能な大きさとするため、各部材の縮尺を適宜変更している。
図１は、ブラシ装置１００の外観斜視図である。
ブラシ装置１００は、プラスチック等の軽量材で形成された筺体１と、筺体１内に設けられたブラシ本体２０と、ブラシ本体２０を回転させる回転駆動装置３０（図１では図示せず、図４参照）と、ブラシ本体２０に抜け毛離脱用のエアを給気する給気装置４０（図４参照）とを主体に構成されている。
【００１９】
筺体１は、把手部２と、把手部２の先端から略直交する方向に延びるブラシ保持部３とがＬ字状に形成された筒形状を有している。
図２は、ブラシ保持部３における断面図である。
この図に示すように、ブラシ保持部３の内部には、ブラシ本体２０を収容する収容空間４が形成されており、把手部２の内部には、収容空間４と連通する吸引路９が把手部２の延びる方向に沿って形成されている。
なお、以下の説明においては、把手部２に対してブラシ保持部３が設けられる側を先端側、逆側を手前側と適宜称する。
【００２０】
吸引路９の収容空間４側の端部には、吸引路９側（図２中、右側）に向かうに従って、吸引路９の断面積を漸次小さくするように壁部６、６が突設されている。また、吸引路９の中途には、フィルター７が配設されており、吸引路９におけるフィルター７と壁部６との間には毛溜室５が形成される。毛溜室５に臨む筺体１の下部には、壁部６とフィルター７との間に位置して抜け毛排出口８が開閉自在に設けられている。
【００２１】
また、図３に示すように、フィルター７の手前側には、吸引装置としてブロワー１０が隣接して配置されている。ブロワー１０は、モータ１１により作動して手前側にエアを送出することにより、吸引路９を介して収容空間４を吸引するものである。ブロワー１０により送出されたエアは、手前側に設けられたエアダクト１２から把手部２の端部に設けられた排気口１３を経て排気される。
【００２２】
ブラシ本体２０は、図４に示すように、中空の円筒形状に形成されており、把手部２が延びる方向と略直交する方向に延びる中心軸２１にベアリング２２を介して回転自在に支持されている。ブラシ本体２０の外周面２０ａには、ワイヤ等の金属線やプラスチック（樹脂材）等で形成された複数のブラシ毛２３が中心軸２１が延びる方向（母線方向）に所定間隔をあけて、且つ周方向にも所定間隔をあけて、外周面２０ａと直交する方向に延在するように植設されている。また、図５に示すように、ブラシ本体２０のブラシ毛２３近傍には、外周面２０ａに開口し、ブラシ本体２０の円筒内部の空間２０ｂ（図４参照）に連通（貫通）する開口部２４が、例えば隣り合うブラシ毛２３の間に位置するように複数形成されている。
【００２３】
このブラシ本体２０は、図１及び図２に示されるように、ブラシ保持部３の収容空間４に収容され、且つ収容空間４が下方に向けて開口する開口部４ａから一部のブラシ毛２３の先端が突出するように配置され、ペット等に対するブラッシングが可能な構成となっている。
【００２４】
回転駆動装置３０は、図３に示す回転モータ３１、モータ３１の回転駆動を伝達する伝達ベルト３２、伝達ベルト３２が巻回されて回転駆動が伝達されるギア３３、ギア３３と一体的に回転するギア３４、ブラシ本体２０に固定されギア３４と噛合して中心軸２１周りに回転可能なリングギア３５から構成されている。また、これら回転モータ３１、伝達ベルト３２、ギア３３、３４、リングギア３５は、吸引路９と隔壁１４によって隔てられた回転機構用エアダクト（第２収容空間）１５内に配置されている。
【００２５】
図６は、筺体１内におけるエアの流れをモデル的に示した図である。
この図に示すように、モータ１１の作動により、ブロワー１０で収容空間４及び毛溜室５から吸引されたエアは、エアダクト１２を介して排気口１３から排気されるが、回転機構用エアダクト１５の手前側端部はエアダクト１２に接続されている。また、ブロワー１０の排気量（吸引量）に対して排気口１３は小さく形成されている。
そのため、エアダクト１２を介して排気されるエアの一部は、回転機構用エアダクト１５内に導入され、収容空間４に排気される。すなわち、上記ブロワー１０、エアダクト１２及び回転機構用エアダクト１５は、回転機構用エアダクト１５から吸引路９（収容空間４）に向けてエアを給気する第２給気装置を構成している。
【００２６】
給気装置４０は、把持部２に沿って形成されたブラシ用エアダクト１６（図３参照）、エアダクト１６の先端側の端部から中心軸２１に向けて延びるエアダクト１７（図２及び図４参照）、中心軸２１の内部に形成されたエア給気路１８、ブラシ本体２０の内部空間２０ｂに配置され、エア給気路１８と接続された吹出口１９を有する給気部４１から構成されている。
【００２７】
エアダクト１６の手前側の端部は、エアダクト１２に接続されている。そのため、エアダクト１２を介して排気されるエアの一部は、上述した回転機構用エアダクト１５とは別にエアダクト１６内に導入され、エアダクト１６、１７内の給気路１６ａ、１７ａ、エア給気路１８、吹出口１９及びブラシ本体２０の開口部２４から収容空間４に向けて給気される。
【００２８】
給気部４１の先端は、エア給気の損失が抑制されるように、ブラシ本体２０の内周面２０ｃと近接して設けられており、内部空間２０ｂの中心軸２１の延びる方向に亘る大きさで形成されている。すなわち、上記母線方向に配列された開口部２４の列に対して一括して給気可能な大きさで形成されている。また、図２及び図７に示すように、給気部４１は、吹出口１９が吸引路９に向けてエアを給気する位置に形成されている。
より詳細には、図２及び図７中、ブラシ本体２０が反時計回りに回転し、ブラシ毛２３により抜け毛を梳き取った直後に、ブラシ毛２３の根元にエアを給気可能な位置に給気部４１（吹出口１９）は配置されている。
【００２９】
また、図４に示すように、エアダクト１７の先端部には、Ｏリング等のシール材４２を介して中心軸２１の一端が挿抜自在に嵌合している。このシール材４２で封止されることにより、エアダクト１６、１７内の給気路１６ａ、１７ａと、エア給気路１８と吹出口１９とが気密状態で連通する。また、中心軸２１の他端側には、抜け毛が回転駆動装置３０に巻き込まれることを防止する巻き込みガード３６と、上述したリングギア３５とが設けられており、さらに先端部は軸受台３７により保持される。
【００３０】
図８に示すように、中心軸２１の他端側の先端は矩形に形成されており、軸受台３７により回転不能に保持されることにより、周方向の位置（すなわち給気部４１の位置）が位置決めされる。軸受台３７は、本体３７ａと、本体３７に対して開閉して中心軸２１を保持・解放する蓋体３７ｂとから構成され、各部材に設けられた磁石３８ａ、３８ｂの磁着及び磁着解除により、中心軸２１に対する保持、解放が切り換えられる。
なお、中心軸２１に対する軸受台３７の保持、解放は、磁石を用いる構成に限定されず、他の機構を用いてもよい。
【００３１】
そして、上記中心軸２１、ブラシ本体２０、巻き込みガード３６、リングギア３５は、一体的に構成されており、中心軸２１の一端をエアダクト１７に嵌合、離脱させるとともに、中心軸２１の他端を軸受台３７に保持・解放することにより、筺体１に対して交換自在に設けられる。
【００３２】
図９は、把手部２（筺体１）を手前側から視た正面図である。
この図に示すように、把手部２の手前側の端部には、上述した排気口１３、電源ケーブル接続部５１、電源／給気風量切換スイッチ（主スイッチ）５２、速度可変ボリューム５３が設けられている。また、図１及び図９に示すように、把手部２の側面２ａには、回転入りスイッチ（従スイッチ）５４が設けられている。
【００３３】
電源／給気風量切換スイッチ５２は、「電源停止状態」、「風量小」、「風量大」とを切り換えるものである。速度可変ボリューム５３は、ブラシ本体２０の回転速度を連続的に設定するものである。回転入りスイッチ５４は、電源／給気風量切換スイッチ５２がＯＮ状態（電源が供給されている状態）で押下されたときに、回転駆動装置３０を作動させて、ブラシ本体２０を速度可変ボリューム５３の設定値に応じて回転させるものである。この回転入りスイッチ５４は、迅速、且つ容易に押下可能なように、例えば右手で把手部２を把手したときに、指先（親指の先）が位置する箇所近傍に配置されている。
なお、吸引用のモータ１１及びブラシ本体２０の回転駆動用の回転モータ３１の駆動は、把手部２の端部に内蔵された制御装置ＣＯＮＴ（図３参照）によって制御される。
【００３４】
上記の構成のブラシ装置１００の動作について以下に説明する。
まず、電源／給気風量切換スイッチ５２を操作してＯＮ状態にするとともに、ペットの毛の状態（抜け毛の多少、長さ）等に応じて風量を設定し、モータ１１を介してブロワー１０を駆動する。
これにより、吸引路９（収容空間４及び毛溜室５）が吸引されるとともに、ブロワー１０から排気されるエアがエアダクト１２から排気口１３、ブラシ用エアダクト１６及び回転機構用エアダクト１５へと分岐して送出される。
【００３５】
ブラシ用エアダクト１６内の給気路１６ａに導入されたエアは、エアダクト１７内の給気路１７ａ、中心軸２１内のエア給気路１８及び給気部４１の吹出口１９から、図２に示す吸引路９に向けて吹き出される。
また、速度可変ボリューム５３を操作して、ブラシ本体２０の回転速度を適切な値に設定する。
【００３６】
続いて、回転入りスイッチ５４を押下することにより、制御装置ＣＯＮＴを介して回転モータ３１が回転し、この回転駆動が伝達ベルト３２、ギア３３、３４、リングギア３５を介してブラシ本体２０に伝達されて、ブラシ本体２０が中心軸２１周りに図２中、反時計回りに回転する。ブラシ本体２０に植設されたブラシ毛２３は、ブラシ保持部３に形成された開口部４ａから先端が突出しているため、開口部４ａをペットに接近させてブラッシングすることにより、ブラシ毛２３がペットの抜け毛を梳き取る。
【００３７】
抜け毛を梳き取ったブラシ毛２３は、ブラシ本体２０の回転によって、給気部４１からエアが給気されているエリアを通過するが、このとき給気部４１からは電源／給気風量切換スイッチ５２で設定された量のエアが、開口部２４を介して吹き出され、ブラシ毛２３の根元近傍からブラシ毛２３の先端に向けて流動する。これにより、ブラシ毛２３に絡んだ抜け毛は当該ブラシ毛２３から離脱する。離脱した抜け毛は、開口部２４からのエアの給気（吹出）及びブロワー１０による吸気（吸引）により、吸引路９に沿って手前側に移動し、フィルター７で捕捉されて毛溜室５に溜まる。
また、ブラッシング時にブラシ毛２３に捕捉されずにブラシ毛２３の周辺に飛散する抜け毛は、ブロワー１０による吸気により、収容空間４から毛溜室５に吸引されて溜まる。さらに、筺体１の外部に飛散する抜け毛も、ブロワー１０による吸気により、開口部４ａから収容空間４を介して毛溜室５に吸引して溜めることができる。
【００３８】
ここで、ブラシ本体２０とリングギア３５との間には、巻き込みガード３６が介装されているため、ブラシ毛２３から離脱した抜け毛がリングギア３５等の回転駆動装置３０の構成部品に巻き込まれることが阻止される。また、ブロワー１０の排気の一部は、回転機構用エアダクト１５に導入されて収容空間４に給気されるため、回転機構用エアダクト１５内のエア圧が収容空間４のエア圧に対して陽圧となり、ブラシ毛２３から離脱した抜け毛が回転駆動装置３０に侵入せず、従って、回転駆動装置３０の構成部品に絡まってブラシ本体２０の回転駆動に支障を来すことが回避可能となる。
【００３９】
ブラッシングが終了すると、回転入りスイッチ５４の押下を解除するとともに、電源／給気風量切換スイッチ５２をＯＦＦにして、ブラシ本体２０の回転駆動及びブロワー１０による吸引動作を停止させた後に、抜け毛排出口８を開いて、毛溜室５に捕捉した抜け毛を排除する。このように、手を汚すことなく簡便に抜け毛を排出できるため、清潔で手間をかけることなくブラッシングを実施できる。
【００４０】
また、複数のペットを飼育し、ペットの毛足の長さや質が異なる場合には、ブラシ毛２３の長さや植設密度、材質等が異なる複数種類のブラシ本体２０を用意しておき、ペットに応じてブラシ本体２０を交換してブラッシングすればよい。
この場合、各ブラシ本体２０は、中心軸２１、リングギア３５、巻き込みガード３６が一体となった状態で用意しておき、ブラシ本体２０を交換する際には、軸受台３７の蓋体３７ｂを開けて中心軸２１への保持を解除するとともに、エアダクト１７から中心軸２１を抜いて、これらブラシ本体２０を収容空間４から外した後に、別種のブラシ本体２０が装着された中心軸２１の一端をエアダクト１７の先端に嵌合させるとともに、他端を軸受台３７の本体３７ａに保持させ蓋体３７ｂを閉じればよい。
そして、筺体１に着脱自在（または開閉自在）なカバー（図示せず）を設けておき、このカバーを開けることにより、容易、且つ迅速にブラシ本体２０を交換することができる。
【００４１】
以上のように、本実施の形態では、ブラシ毛２３の近傍にエアを給気するため、ブラシ毛２３に絡んだ抜け毛を離脱させて容易に除去できるため、メンテナンスに手間がかかることを防止できる。特に、本実施形態では、ブラシ毛２３が植設されたブラシ本体２０の開口部２４からエアを給気するため、ブラシ毛２３の根元に絡んだ抜け毛であっても、確実に離脱させて取り除くことが可能になり、メンテナンスの容易化に寄与できる。また、本実施形態では、フィルター７までの吸引路９に障害物が設けられていないため、吸引した抜け毛が途中で引っ掛かることなく、円滑に毛溜室５に送り込むことができ、メンテナンス作業が増加する事態を回避することができる。また、本実施形態では、手を汚すことなく簡便に抜け毛を排出できるため、清潔で手間をかけることなくブラッシングを実施できる。
さらに、本実施形態では、エアを用いることにより非接触で抜け毛を除去できるため、ブラシ毛２３の耐久性に問題が生じることもなく、長寿命化を図ることが可能になる。
【００４２】
さらに、本実施形態では、ブロワー１０の排気の一部を利用して、給気装置４０によるエア給気、及び回転機構用エアダクト１５からのエア給気のエア供給源としているので、別途エア供給源を設ける必要がなくなり、装置の小型化及び低価格化に寄与できる。加えて、本実施形態では、給気装置４０における給気路として、中心軸２１内のエア給気路１８を設けているため、別途給気路を設けることなく、容易にブラシ本体２０の内部にエアを導入することができる。
【００４３】
また、本実施形態では、このように回転機構用エアダクト１５からエアを給気することにより、飛散した抜け毛が絡まることに起因して、回転駆動装置３０の作動に支障を来すことを防止でき、より高品質のブラシ装置１００を提供することが可能になる。
【００４４】
さらに、本実施の形態では、電源／給気風量切換スイッチ５２とは別に、回転入りスイッチ５４を設けているため、ペットの状態等、不測の事態が生じた場合でも、容易、且つ迅速にブラシ本体２０の回転動作を制御することができ、操作性及び安全性の向上を図ることができる。しかも、本実施形態では、回転入りスイッチ５４が把手部２の側面に配置されているため、特に持ち手を変えることなく、迅速にスイッチの押下や押下解除を実施可能である。
また、本実施形態では、ブラシ本体２０が交換自在に設けられていることから、ペットの種類、毛質、毛の長さ、硬さ等に応じて最適なブラシ本体を選択して使用することが可能になる。
【００４５】
以上、添付図面を参照しながら本発明に係る好適な実施形態について説明したが、本発明は係る例に限定されないことは言うまでもない。上述した例において示した各構成部材の諸形状や組み合わせ、材質等は一例であって、本発明の主旨から逸脱しない範囲において設計要求等に基づき種々変更可能である。
【００４６】
例えば、上記実施形態では、隣り合うブラシ毛２３の間に位置するように開口部２４が形成される構成としたが、これに限定されるものではなく、例えば図１０に示すように、ブラシ毛２３の周囲を囲むように開口部２４を形成する構成としてもよい。これにより、ブラシ毛２３に絡みつく抜け毛を、より確実に離脱させることができる。
なお、この場合、開口部２４を途切れさせる位置（すなわちブラシ本体２０の外周面２０ａ）が繋がる位置（図１０では左右方向）は、ブラシ毛２３の強度を確保するために、ブラッシング方向とすることが好ましい。
【００４７】
また、上記実施形態では、吸引路９の中途にフィルター７を設け、このフィルター７の上流側が毛溜室５とされる構成としたが、これに限られるものではなく、例えば図１１に示すように、内部に毛溜室５を有する袋状のフィルター袋７Ａを、開口部が上流側（先端側）を向くように、且つ抜け毛排出口８から脱着自在に配置する構成としてもよい。
この場合、吸引した抜け毛をフィルター袋７Ａ内に貯溜することができ、抜け毛が溜まった後に、フィルター袋７Ａごと交換することで、より簡便に抜け毛の排除が可能になり、取り扱い性を向上させることができる。
【００４８】
なお、上記実施形態では、ブラシ本体２０の内部空間からエアを給気して、ブラシ毛２３に絡んだ抜け毛を離脱させる構成としたが、これに限定されず、ブラシ本体２０の外側からノズル等を用いてエアを給気する構成としてもよい。
また、上記実施形態におけるブラシ装置１００に用いられる電源としては、家庭用のコンセントを介して供給される電源の他に、乾電池やバッテリ等の充電池を用いる構成としてもよい。
【００４９】
また、上記実施形態では、本発明に係るブラシ装置１００をペットのブラッシングに適用するものとして説明したが、これ以外にも、絨毯や毛皮のコート、ソファ等、密集した毛が植設されたブラッシング対象物に広く適用可能である。この場合、ブラッシング対象物の毛に応じたブラシ本体（ブラシ毛）を取り付けて用いればよい。
【図面の簡単な説明】
【００５０】
【図１】本発明に係るブラシ装置の外観斜視図である。
【図２】ブラシ保持部の部分断面図である。
【図３】把手部の部分断面図である。
【図４】給気装置、ブラシ本体、回転駆動装置の展開図である。
【図５】ブラシ本体の概略的な構成を示す斜視図である。
【図６】筺体内におけるエアの流れをモデル的に示した図である。
【図７】ブラシ本体の断面図である。
【図８】軸受台を示す図である。
【図９】把手部を手前側から視た正面図である。
【図１０】ブラシ本体の開口部の別形態を示す図である。
【図１１】フィルターの別形態を示す図である。
【符号の説明】
【００５１】
２…把手部、  ４…収容空間、  １０…ブロワー（吸引装置）、  １５…回転機構用エアダクト（第２収容空間）、  １８…エア給気路、  ２０…ブラシ本体、  ２０ａ…外周面、  ２０ｂ…空間（円筒内部）、  ２１…中心軸、  ２３…ブラシ毛、  ２４…開口部、  ３０…回転駆動装置、  ４０…給気装置、  ４１…給気部、  ５２…電源／給気風量切換スイッチ（主スイッチ）、  ５４…回転入りスイッチ（従スイッチ）、  １００…ブラシ装置
【要約】
【課題】メンテナンスに手間がかからず、また耐久性を有するブラシ装置を提供する。
【解決手段】外周面２０ａにブラシ毛２３が植設されたブラシ本体２０と、ブラシ毛２３の近傍にエアを給気して、ブラシ毛２３から付着物を離脱させる給気装置４０とを有する。
【選択図】図４【図１】
0003935494.tif 000002
【図２】
0003935494.tif 000003
【図３】
0003935494.tif 000004
【図４】
0003935494.tif 000005
【図５】
0003935494.tif 000006
【図６】
0003935494.tif 000007
【図７】
0003935494.tif 000008
【図８】
0003935494.tif 000009
【図９】
0003935494.tif 000010
【図１０】
0003935494.tif 000011
【図１１】
0003935494.tif 000012